(57)【要約】【課題】品質を保ちつつ、部材点数の減少による製造コストの削減を図ること。【解決手段】光源ユニット２は、ＬＥＤモジュール３と取付部材４とカバー５とを備える。カバー５は、ＬＥＤモジュール３を覆うように取付部材４に支持される。取付部材４は、ＬＥＤモジュール３が第１面４０１に取り付けられる取付板４０と、取付板４０の縁から突出する側板４１とを有する。カバー５は、底部５０と、底部５０の周縁から突出する周壁部５１とを有する。取付板４０は、取付孔４２０を有する。周壁部５１は、取付孔４２０を通じて取付板４０の第２面４０２から突出する係合片５２１を有する。カバー５は、第２面４０２から突出した係合片５２１が取付板４０の一部と係合することで取付部材４に支持される。【選択図】図１
2018147666.tif 000002
【特許請求の範囲】
【請求項１】
実装基板、及び前記実装基板に実装された固体光源を有する光源モジュールと、
前記光源モジュールが取り付けられる取付部材と、
透光性を有し、前記光源モジュールを覆うように前記取付部材に支持されるカバーと、
を備え、
前記取付部材は、
前記光源モジュールが第１面に取り付けられる平板状の取付板と、
前記取付板の縁から前記第１面の側に突出する側板と
を有し、
前記カバーは、
前記光源モジュールに対向する底部と、
前記底部の周縁から前記取付板に向かって突出する周壁部と
を有する箱状に形成され、
前記取付板は、その厚み方向に貫通する取付孔を有し、
前記周壁部は、前記取付孔を通じて前記取付板の前記第１面とは反対側の第２面から突出する係合片を有し、
前記カバーは、前記第２面から突出した前記係合片が前記取付板の一部と係合することで前記取付部材に支持される
ことを特徴とする光源ユニット。
【請求項２】
前記周壁部は、前記光源モジュールから見たときに前記側板よりも手前に配置されている
ことを特徴とする請求項１記載の光源ユニット。
【請求項３】
前記周壁部は、前記底部の厚み方向に沿って見たときに矩形枠状に形成されていて、かつ、前記係合片を少なくとも２つ有し、
２つの前記係合片は、矩形枠状の前記周壁部を形成する４つの壁部のうち、互いに対向する２つの壁部において、矩形枠状の前記周壁部の中心軸に対して対称となる位置にそれぞれ配置され、
前記取付板は、２つの前記係合片がそれぞれ対応して通るように、前記取付孔を少なくとも２つ有している
ことを特徴とする請求項１又は２記載の光源ユニット。
【請求項４】
前記取付板は、金属板により形成されていて、かつ、前記係合片と係合する前記一部であるかしめ片を有し、
前記かしめ片は、前記係合片にかしめ固定するように前記取付板から切り起こされた部位である
ことを特徴とする請求項１〜３のいずれか１項に記載の光源ユニット。
【請求項５】
前記係合片は、前記第２面に沿って開放されていて前記かしめ片が挿入される凹所を有する
ことを特徴とする請求項４記載の光源ユニット。
【請求項６】
請求項１〜５のいずれか１項の光源ユニットと、
前記光源ユニットを支持する器具本体と
を備える
ことを特徴とする照明器具。
【発明の詳細な説明】
【技術分野】
【０００１】
本発明は、光源ユニット及び照明器具に関し、より詳細には、固体光源を有する光源ユニット、及び当該光源ユニットを備える照明器具に関する。
【背景技術】
【０００２】
従来例として、特許文献１記載の照明器具を例示する。この従来例は、光源ユニットと器具本体と枠とパネルと点灯装置を備える。光源ユニットは、４つのＬＥＤモジュールと反射体とで構成される。反射体は、矩形平板状の取付板と、取付板の周縁から下向きに曲げ起こされた４つの反射板とを有する。取付板の下面には、４つのＬＥＤモジュールの基板がねじ止めされていて、取付板の上面には、点灯装置が固定されている。枠は、光源ユニットとパネルとを保持した状態で、固定バネによって器具本体に取付けられている。
【先行技術文献】
【特許文献】
【０００３】
【特許文献１】特開２０１４−２３２７１３号公報
【発明の概要】
【発明が解決しようとする課題】
【０００４】
ところで、上記従来例では、パネルを保持する枠と光源ユニットの取付板とが、取付金具を介してねじ止めにより互いに固定されている。そのため、例えば使用される取付金具及びねじなどの数だけ、光源ユニット全体の部品点数が多くなる傾向にあった。したがって、従来例と同等の性能と機能を保ちつつ（品質を保ちつつ）、取付金具及びねじなどの部材点数を減らして製造コストの削減を図ることが望まれる。
【０００５】
本発明の目的は、品質を保ちつつ、部材点数の減少による製造コストの削減を図ることが可能な光源ユニット及び照明器具を提供することである。
【課題を解決するための手段】
【０００６】
本発明の一態様に係る光源ユニットは、光源モジュールと取付部材とカバーとを備える。前記光源モジュールは、実装基板、及び前記実装基板に実装された固体光源を有する。前記光源モジュールは、前記取付部材に取り付けられる。前記カバーは、透光性を有し、前記光源モジュールを覆うように前記取付部材に支持される。前記取付部材は、前記光源モジュールが第１面に取り付けられる平板状の取付板と、前記取付板の縁から前記第１面の側に突出する側板とを有する。前記カバーは、前記光源モジュールに対向する底部と、前記底部の周縁から前記取付板に向かって突出する周壁部とを有する箱状に形成されている。前記取付板は、その厚み方向に貫通する取付孔を有する。前記周壁部は、前記取付孔を通じて前記取付板の前記第１面とは反対側の第２面から突出する係合片を有する。前記カバーは、前記第２面から突出した前記係合片が前記取付板の一部と係合することで前記取付部材に支持される。
【０００７】
本発明の一態様に係る照明器具は、前記光源ユニットと、前記光源ユニットを支持する器具本体とを備える。
【発明の効果】
【０００８】
本発明の光源ユニット及び照明器具は、品質を保ちつつ、部材点数の減少による製造コストの削減を図ることが可能になるという効果がある。
【図面の簡単な説明】
【０００９】
【図１】図１は、本発明の一実施形態に係る光源ユニットの上方から見た分解斜視図である。
【図２】図２は、同上の光源ユニットの下方から見た分解斜視図である。
【図３】図３は、同上の光源ユニットの平面図である。
【図４】図４Ａは、同上の光源ユニットにおけるかしめ片がかしめられる前の状態の要部の斜視図であり、図４Ｂは、かしめ片がかしめられた後の状態の要部の斜視図である。
【図５】図５は、本発明の一実施形態に係る照明器具の斜視図である。
【図６】図６は、同上の照明器具の側面図である。
【図７】図７は、同上の照明器具の別の側面図である。
【図８】図８は、同上の照明器具の分解斜視図である。
【図９】図９は、同上の照明器具における器具本体の分解斜視図である。
【図１０】図１０は、同上の照明器具の要部の断面図である。
【図１１】図１１は、同上の光源ユニットのカバーを省略した斜視図である。
【発明を実施するための形態】
【００１０】
（１）概要
以下に説明する構成は、本発明の一例に過ぎず、本発明は、下記の構成に限定されることはなく、下記の構成以外であっても、本発明に係る技術的思想を逸脱しない範囲であれば、設計等に応じて種々の変更が可能である。
【００１１】
本実施形態の光源ユニット２は、図１及び図２に示すように、ＬＥＤ（Light Emitting Diode）モジュール３（光源モジュール）と取付部材４とカバー５とを備える。ＬＥＤモジュール３は、実装基板３１、及び実装基板３１に実装されたＬＥＤ３０（固体光源）を有する。本実施形態ではＬＥＤモジュール３の数は２つであるが、１つでもよいし３つ以上であってもよい。また、実装基板３１に実装されるＬＥＤ３０の数についても特に限定されるものではない。２つのＬＥＤモジュール３は、取付部材４に取り付けられる。
【００１２】
カバー５は、透光性を有している。カバー５は、２つのＬＥＤモジュール３を覆うように取付部材４に支持される。取付部材４は、平板状の取付板４０と、４つの側板４１とを有している。取付板４０は、２つのＬＥＤモジュール３が取り付けられる第１面４０１（下面）を有している。各側板４１は、取付板４０の対応する縁から第１面４０１の側に突出している。
【００１３】
カバー５は、箱状に形成されている。具体的には、カバー５は、２つのＬＥＤモジュール３に対向する底部５０と、底部５０の周縁から取付板４０に向かって突出する周壁部５１とを有している。
【００１４】
取付板４０は、その厚み方向に貫通する取付孔４２０を有している。一方、周壁部５１は、取付孔４２０を通じて取付板４０の第１面４０１とは反対側の第２面４０２（上面）から突出する係合片５２１を有している。本実施形態のカバー５は、第２面４０２から突出した係合片５２１が取付板４０の一部（かしめ片４２１）と係合することで取付部材４に支持される（図４Ａ及び図４Ｂ参照）。
【００１５】
この構成によれば、カバー５は、取付板４０の取付孔４２０を通じて第２面４０２から突出した係合片５２１が取付板４０の一部（かしめ片４２１）と係合することで取付部材４に支持される。したがって、取付金具及びねじなどの別部品の使用を抑えながらもカバー５を取付部材４に取付けることができる。その結果、特許文献１記載の従来例と同等の性能と機能を保ちつつ（品質を保ちつつ）、光源ユニット２全体としての部材点数を減らすことができて製造コストの削減を図ることができる。
【００１６】
（２）詳細
（２．１）全体構成
以下、本実施形態の光源ユニット２を備えた照明器具１について、図面を参照して詳細に説明する。本実施形態の照明器具１は、天井に埋込配設される埋込型の照明器具である。ただし、照明器具１は、埋込型の照明器具に限定されず、例えば、天井に直付けされる直付け型の照明器具であってもよい。
【００１７】
本実施形態の照明器具１は、図５及び図８に示すように、光源ユニット２と、光源ユニット２を支持する器具本体１０とを備えている。ただし、以下の説明では、特に断りのない限り、図８において照明器具１の上下、前後及び左右の各方向を規定する。
【００１８】
（２．２）器具本体
器具本体１０は、図８及び図９に示すように、下面が開口した直方体形状（箱形）の収容部１１と、上面及び下面が開口した四角錐台状（角筒状）の反射部材１２とを有している。収容部１１は、正方形状の底壁１１０と、底壁１１０の４つの辺から下向きに突出する長方形状の４つの側壁１１１とを有している。底壁１１０は、給電用の電源線が挿通される複数の挿通孔１１００を有している。挿通孔１１００に挿通される電源線は、底壁１１０の下面に取り付けられている端子台１３に電気的に接続される。さらに、底壁１１０は、建物の躯体（天井躯体９）に埋め込まれている吊りボルト９０が挿通される複数のボルト挿通孔１１０１を有している（図８参照）。これら複数のボルト挿通孔１１０１は、左右方向に一列に並ぶように底壁１１０に設けられている。収容部１１の底壁１１０及び４つの側壁１１１は、鋼板などの金属板によって一体に形成されることが好ましい。
【００１９】
左側の側壁１１１及び右側の側壁１１１の各々は、一対の係止部１１２と、一対の導通部１１３とを有している（図９参照）。一対の係止部１１２は、各側壁１１１の内側面から斜め上方に突出している（図１０参照）。なお、これらの係止部１１２は、側壁１１１の一部が切り起こされて形成されることが好ましい。また、一対の導通部１１３は、側壁１１１の一部が切り起こされて形成されている（図９参照）。さらに、左側の側壁１１１及び右側の側壁１１１の各々は、一対の規制部１１５を有している。一対の規制部１１５は、概ね矩形平板状であって、各側壁１１１の長手方向（前後方向）の両端における内側の側面から、前側及び後側の側壁１１１と平行するように突出している。なお、これらの規制部１１５は、各側壁１１１から切り起こして形成されることが好ましい。
【００２０】
前側の側壁１１１及び後側の側壁１１１の各々は、一対の係止部１１２と、引掛部１１４とを有している（図９参照）。一対の係止部１１２は、左側及び右側の側壁１１１の係止部１１２と同様に、側壁１１１の一部が切り起こされることにより、各側壁１１１の内側面から斜め上方に突出するように形成されている。引掛部１１４は、側壁１１１の長手方向の中央に設けられている。引掛部１１４は、側壁１１１をその厚み方向に貫通する孔を有している。ただし、前側の引掛部１１４の孔は、逆Ｕ字状に形成され、後側の引掛部１１４の孔は、Ｈ字状に形成されている（図９参照）。
【００２１】
反射部材１２は、４つの反射板１２０と、各反射板１２０の上端からそれぞれ上向きに突出する４つの側板１２１と、各反射板１２０の下端から前後方向及び左右方向に突出する枠体１２２とを有している（図９参照）。各反射板１２０は、台形状に形成されている。各側板１２１は、概ね台形状に形成されている。なお、４つの反射板１２０により、軸方向（上下方向）に沿った両側の端部（上端部及び下端部）が開口した筒状の囲い部が構成されている。各側板１２１は、収容部１１の４つの側壁１１１のうちの対応する１つの側壁１１１にそれぞれ結合される。枠体１２２は、正方形の枠状に形成され、４つの反射板１２０のそれぞれの下端とつながっている。反射部材１２は、４つの反射板１２０の内側面（反射面）によって光源ユニット２が発する光の配光を調整するように構成されている。
【００２２】
４つの側板１２１は、すべて同一の形状に形成されている。各側板１２１は、一対の矩形の係止孔１２３と、矩形の貫通孔１２４と、一対の台形状の孔１２５とを有している（図９参照）。貫通孔１２４は、側板１２１の長手方向におけるほぼ中央に設けられている。一対の孔１２５は、側板１２１の長手方向に沿って貫通孔１２４の両側に設けられている。一対の係止孔１２３は、その長手方向を側板１２１の長手方向に揃え、かつ、側板１２１の長手方向に沿って一対の孔１２５の両側に設けられている。４つの側板１２１にそれぞれ一対ずつ設けられている係止孔１２３に、収容部１１の４つの側壁１１１にそれぞれ一対ずつ設けられている係止部１１２のうちの対応する１つの係止部１１２が１つずつ挿入される。係止孔１２３に挿入された係止部１１２は、各側板１２１における係止孔１２３の上側の縁に当たることにより、側板１２１に係止される（図８及び図１０参照）。つまり、係止部１１２は、側板１２１が底壁１１０から離れる向き（下向き）に変位することを妨げるように構成されている。
【００２３】
上述のように、合計８つの係止部１１２がそれぞれ側板１２１に係止されることにより、収容部１１と反射部材１２が結合されて器具本体１０が構成される（図８参照）。また、各側壁１１１に設けられている一対の導通部１１３は、対応する孔１２５に挿通されるように折り曲げられる（図８参照）。折り曲げられた導通部１１３は、側板１２１における孔１２５の縁に接触する。つまり、収容部１１は、導通部１１３を介して反射部材１２と電気的に導通している。さらに、側壁１１１に設けられている引掛部１１４は、側壁１１１及び側板１２１の厚み方向（前後方向）に沿って、側板１２１に設けられている貫通孔１２４と重なっている（図８参照）。
【００２４】
ここで、器具本体を構成する２つの部品がねじ止めによって結合される場合、ねじ締め作業によって器具本体の組立作業の作業性が低下するおそれがある。これに対して、照明器具１の器具本体１０は、側壁１１１に設けられている係止部１１２が側板１２１に設けられている係止孔１２３に挿入されることで収容部１１と反射部材１２が結合されるように構成されている。そのため、ドライバなどの工具を使わずに収容部１１と反射部材１２を結合させることができ、器具本体１０の組立作業の作業性の低下を抑制することができる。また、係止部１１２は、側板１２１が底壁１１０から離れる向き（下向き）に変位することを妨げるように構成されている。そのため、地震による強い揺れが生じた場合に係止部１１２の係止が外れ難くなり、反射部材１２が落下する可能性を低くすることができる。
【００２５】
（２．３）光源ユニット
光源ユニット２は、図１及び図２に示すように、２つのＬＥＤモジュール３と、取付部材４と、カバー５と、電源ユニット６と、無線通信ユニット７と、２つの取付具８とを備えている。
【００２６】
取付部材４は、正方形の取付板４０と、取付板４０の４つの辺からそれぞれ下向きに突出する４つの側板４１とを有している。取付部材４は、２つのＬＥＤモジュール３が取り付けられる第１面４０１（下面）を有している（図２参照）。つまり、各側板４１は、取付板４０の対応する辺（縁）から第１面４０１の側に突出している。取付板４０と４つの側板４１とは、亜鉛鋼板などの金属板が曲げ加工されて一体に形成されることが好ましい。４つの側板４１の各々は、細長い長方形状に形成されている。また、取付板４０は、その４つの辺における長手方向の中央に被取付部４２を１つずつ有している。なお、被取付部４２については、次の「（２．４）取付部材及びカバーの取付構造」の欄で詳しく説明する。
【００２７】
２つのＬＥＤモジュール３の各々は、長方形状の実装基板３１の実装面（下面）に多数のＬＥＤ３０を実装して構成されている。各ＬＥＤ３０は、例えば、白色光を放射する照明用白色ＬＥＤである。これら複数のＬＥＤ３０は、実装基板３１の実装面に格子状に配置され、実装面に形成されている配線導体（銅はく）を介して互いに電気的に接続されている。また、各実装基板３１の実装面には、配線導体を介して各ＬＥＤ３０と電気的に接続されたレセプタクルコネクタ３２が実装されている。レセプタクルコネクタ３２は、後述するように電源ユニット６の出力線に結線されたプラグコネクタと抜き差し可能に接続される。２つのＬＥＤモジュール３は、取付板４０の下面に、左右方向に間隔を空けて並ぶようにして、ねじ止めにより取り付けられる（図１１参照）。
【００２８】
電源ユニット６は、プリント配線板６１に電子部品が実装されて構成された電源回路と、この電源回路を収容するケース６０とを有している（図１参照）。電源回路は、入力コネクタ６２、整流器、力率改善回路、降圧型のＤＣ／ＤＣコンバータ、出力コネクタ６３などを備える。入力コネクタ６２は、電線を介して端子台１３と電気的に接続される。電源回路は、入力コネクタ６２から入力する交流電力を直流電力に変換した後、変換後の直流電力を出力コネクタ６３から電線（出力線）を介して出力する。直流電力は、出力線の先端に結線されたプラグコネクタ及びレセプタクルコネクタ３２を介して各ＬＥＤモジュール３の各ＬＥＤ３０に供給される。
【００２９】
プリント配線板６１は、長尺の矩形平板状の絶縁基板の部品面に配線導体（銅はく）が形成されている。プリント配線板６１の表面に、入力コネクタ６２、出力コネクタ６３、平滑コンデンサ、チョークコイルなどの、いわゆるリード部品が実装される。そして、プリント配線板６１のはんだ面に電源回路を構成している電子部品のうちの表面実装部品が実装される。ただし、入力コネクタ６２は、プリント配線板６１の長手方向の一端（左端）に実装され、出力コネクタ６３は、プリント配線板６１の長手方向の他端（右端）に実装されている。ケース６０は、図１に示すように、金属製の板材によって長尺の箱状に形成されている。ケース６０は、入力コネクタ６２及び出力コネクタ６３を露出するようにしてプリント配線板６１を内部に収容している。電源ユニット６は、取付板４０の上面における前端に、ケース６０の長手方向を左右方向に一致させるようにして取付板４０にねじ止めされている（図１参照）。
【００３０】
無線通信ユニット７は、図１に示すように、合成樹脂製のハウジング７０、信号ケーブル７１、プラグコネクタ７２などを備えている。無線通信ユニット７は、ハウジング７０内に収容されているアンテナで受信する無線信号（例えば、９２０ＭＨｚ帯の電波を媒体とする無線信号）から制御指令を取得するように構成されている。なお、無線信号は、送信機から送信され、照明器具１の点灯・消灯及び／又は調光などを行うための制御指令を伝送している。無線通信ユニット７は、信号ケーブル７１並びにプラグコネクタ７２を介して、無線信号から取得した制御指令を電源ユニット６の電源回路へ伝送するように構成されている。なお、プラグコネクタ７２は、電源ユニット６に設けられているレセプタクルコネクタと電気的に接続される。電源ユニット６の電源回路は、無線通信ユニット７から伝送されてくる制御指令に応じて、出力コネクタ６３から出力する直流電力を調整してＬＥＤモジュール３を点灯・消灯及び調光するように構成されている。
【００３１】
無線通信ユニット７は、取付板４０の上面に取り付けられている（図１参照）。取付板４０には、無線通信ユニット７のハウジング７０の一部（アンテナが収容されているアンテナ収容部７００）が挿通される孔４００が設けられている（図２参照）。無線通信ユニット７のハウジング７０は、アンテナ収容部７００が孔４００に挿通された状態で取付板４０の上面に固定されている。ただし、この孔４００は、取付板４０の下面において、２つのＬＥＤモジュール３の間に位置している。したがって、アンテナ収容部７００は、取付板４０の下面における２つのＬＥＤモジュール３の間から下向きに突出する（図１１参照）。
【００３２】
２つの取付具８は同一の構成を有している。各取付具８は、取付ばね８０と、取付ばね８０を取付板４０に取り付けるための取付金具８５とを有している（図１参照）。取付ばね８０は、コイル部８１と、２本の腕部（第１腕部８２及び第２腕部８３）と、引掛片８４とを有するねじりコイルばねで構成されている。取付金具８５は、平板状のベース８５０と、ベース８５０に設けられたブリッジ状の支持部８５１と、ベース８５０に設けられた筒状の引掛部８５２とを有している。支持部８５１は、コイル部８１をその軸まわりに回転可能に支持する。引掛部８５２は、取付ばね８０の引掛片８４が引っ掛けられる（図１参照）。取付金具８５は、取付板４０の上面における前後方向の両端かつ左右方向の中央の位置にねじ止めされる（図１参照）。各取付ばね８０の第１腕部８２は、取付板４０の外に突出している（図１１参照）。各取付ばね８０の第２腕部８３は、取付金具８５に引っ掛けられる（図１参照）。
【００３３】
カバー５は、透光性を有していて、２つのＬＥＤモジュール３を覆うように取付部材４に支持される。カバー５は、図１に示すように、正方形状の底部５０と、底部５０の周縁から上向きに立ち上がる周壁部５１と、周壁部５１の上端に設けられた４つの取付部５２とを有している。周壁部５１は、底部５０の厚み方向（上下方向）に沿って見たときに矩形枠状（本実施形態では、一例として正方形の枠状）に形成されている。周壁部５１は、４つの壁部から構成されおり、以下の説明では、４つの壁部をそれぞれ前壁部５１１、右壁部５１２、後壁部５１３及び左壁部５１４とよぶ（図１参照）。底部５０と周壁部５１と４つの取付部５２は、アクリル樹脂やポリカーボネート樹脂などの透光性を有する合成樹脂材料によって一体に形成されることが好ましい。また、少なくとも底部５０及び周壁部５１は、その表面にシボ加工が施されることによって光を拡散するように構成されることが好ましい。あるいは、少なくとも底部５０及び周壁部５１は、合成樹脂材料に拡散剤が混入されることによって光を拡散するように構成されることが好ましい。なお、取付部５２については、次の「（２．４）取付部材及びカバーの取付構造」の欄で詳しく説明する。
【００３４】
（２．４）取付部材及びカバーの取付構造
以下、取付部材４及びカバー５の取付構造について、図１〜図４Ｂを参照しながら詳しく説明する。
【００３５】
取付部材４の取付板４０は、正方形の第２面４０２の４つの辺（縁）の各々における長手方向の中央に被取付部４２を１つずつ有している。つまり、図３に示すように、互いに対向する２辺に対応した２つの被取付部４２同士を繋いだ２つの線分Ｌ１及びＬ２（想像線）が交わる点Ｐ１は、取付板４０の中心である。図１に示すカバー５の中心軸Ｃ１（想像線）は、おおむね点Ｐ１を通る。
【００３６】
各被取付部４２は、取付孔４２０とかしめ片４２１と突板４２２と載置片４２３と位置決め片４２４とを有している。取付孔４２０は、取付板４０をその厚み方向に貫通して形成されている。突板４２２及びかしめ片４２１は、２つのＬＥＤモジュール３が取り付けられる第１面４０１（下面）とは反対側の第２面４０２（上面）に設けられている。突板４２２及びかしめ片４２１は、取付板４０と一体となっている。なお、このかしめ片４２１が、後述するようにカバー５の係合片５２１に対してかしめられて係合する部位となる。
【００３７】
ここで、図１〜図３は、かしめ片４２１がかしめられる前の状態を示しており、同様に、図４Ａも、かしめ片４２１がかしめられる前の状態の要部（一例として第２面４０２の右辺の要部のみ図示）を示している。一方、図４Ｂは、かしめ片４２１がかしめられた後の状態の要部（同じく第２面４０２の右辺の要部のみ図示）を示している。ここで、以下の説明では特に断りの無い限り、かしめ片４２１が、かしめられる前の状態（図４Ａ）にあることを想定して説明する。
【００３８】
突板４２２及びかしめ片４２１は、厚み方向に沿って見たときに全体としておおむねＬ字板状に形成されている。突板４２２は、細長い矩形板状であり、その長手方向が第２面４０２の対応する辺の長手方向に沿うように、第２面４０２から上方向に突出している。かしめ片４２１は、突板４２２の一端（図４Ａでは前端）から第２面４０２の対応する辺の長手方向に沿うように細長く延びている。
【００３９】
載置片４２３は、略矩形板状であり、かしめ片４２１の上端において取付板４０の中心（点Ｐ１）から離れる方向に突出して設けられている（図４Ａ参照）。載置片４２３は、かしめ片４２１と一体となっている。
【００４０】
位置決め４２４は、突板４２２及びかしめ片４２１と同様に、２つのＬＥＤモジュール３が取り付けられる第１面４０１とは反対側の第２面４０２に設けられている。位置決め片４２４は、略矩形板状であり、取付孔４２０を間に介して突板４２２と対向するように第２面４０２から上方向に突出している。位置決め片４２４は、取付板４０と一体となっている。位置決め片４２４は、取付板４０に対する取付具８の取付金具８５の位置決めを行うための部位である。具体的には、取付金具８５のベース８５０に形成されている凹部が位置決め片４２４に嵌まるように、取付金具８５を取付板４０の第２面４０２上に載せ置くことで、取付板４０に対する取付具８の位置決めが達成される。
【００４１】
取付孔４２０は、図３に示すように、上下方向に沿って見たときに、取付板４０の第２面４０２の４つの辺の対応する辺の長手方向に沿って延びる細長い矩形孔（スリット）である。また４つの取付孔４２０は、上下方向に沿って見たときに、取付板４０の上記４辺で囲まれた領域内に配置されている（図３参照）。言い換えると、各取付孔４２０は、突板４２２及びかしめ片４２１よりも内側（点Ｐ１側）に配置されている。
【００４２】
本実施形態では、取付孔４２０は、第２面４０２の各辺の近傍における長手方向の中央領域に対して略Ｈ字状に抜き加工を施した後に、上方向に切り起こしを施すことにより形成されている。ここで、切り起こされる部位は２つあり、すなわち、先端が取付板４０の中心（点Ｐ１）から離れる方向に切り起こされる第１部位と、先端が第２面４０２の４つの辺の対応する辺から離れる方向に切り起こされる第２部位である。第１部位が、突板４２２、かしめ片４２１及び載置片４２３となり、第２部位が、位置決め片４２４となる。
【００４３】
一方、カバー５の４つの取付部５２は、取付部材４の４つの被取付部４２にそれぞれ一対一で対応するように配置されている。４つの取付部５２は、正方形の枠状の周壁部５１の中心軸Ｃ１（図１参照）に沿って見たときに、中心軸Ｃ１に対して対称となる位置にそれぞれ配置されている。つまり、周壁部５１を形成する４つの壁部のうち互いに対向する前壁部５１１と後壁部５１３とに設けられた前後２つの取付部５２は、中心軸Ｃ１に沿って見たときに、中心軸Ｃ１に対して対称となる位置にそれぞれ配置されている。また、４つの壁部のうち互いに対向する右壁部５１２と左壁部５１４とに設けられた左右２つの取付部５２は、中心軸Ｃ１に沿って見たときに、中心軸Ｃ１に対して対称となる位置にそれぞれ配置されている。本実施形態では、各取付部５２は、対応する壁部の上端における長手方向の中央に設けられている。
【００４４】
各取付部５２は、周壁部５１の上端から底部５０と平行に突出する長方形状の突片５２０と、鉤形に形成されて周壁部５１の上端から上向きに突出する係合片５２１と、周壁部５１の上端から上向きに突出する突起５２２とを有している。
【００４５】
各突片５２０は、取付板４０の第１面４０１に取付けられた２つのＬＥＤモジュール３の実装基板３１に設けられている４つの凹み３１０（図１参照）のうち対応する凹み３１０に収まるように形成されている。各係合片５２１は、対応する取付孔４２０に挿通されて取付板４０の第２面４０２から突出する部位である。言い換えると、係合片５２１の上下方向の突出量は、取付板４０の厚み寸法よりも十分に大きい。また、突起５２２も取付孔４２０に挿通されて取付板４０の第２面４０２から突出する。突起５２２は、周壁部５１の対応する壁部の長手方向において、係合片５２１から所定の距離を取って配置されている。
【００４６】
一例として図４Ａを参照して説明すると、右壁部５１２の長手方向（前後方向）において、突起５２２の前端面から係合片５２１の後端面までの距離は、取付孔４２０の寸法よりもやや小さい程度に寸法関係が設定されている。要するに、突起５２２は、取付孔４２０に対する係合片５２１の位置決めを容易に行えるように構成されている。
【００４７】
さらに、係合片５２１は、かしめ片４２１が挿入されるための凹所５２３を有している（図４Ａ及び４Ｂ参照）。凹所５２３は、第２面４０２に沿って開放されている。具体的には、凹所５２３は、突起５２２から離れる方向に凹んで形成されている。本実施形態では、かしめ片４２１が突起５２２と係合片５２１との間の空間を通って凹所５２３内へ挿入可能なように、突板４２２に対するかしめ片４２１の突出量は、突起５２２から凹所５２３の底部までの距離よりもやや小さい。
【００４８】
カバー５は、取付部材４の側板４１の内側に周壁部５１を収めるようにして取付部材４に取り付けられる。そのため、周壁部５１は、ＬＥＤモジュール３から見たときに取付部材４の側板４１よりも手前に配置されている。言い換えると、金属製の側板４１が、樹脂製のカバー５の周壁部５１よりも外側に配置されていて、器具本体１０（反射部材１２の側板１２１）と対向する部位となる。
【００４９】
例えばもし樹脂製のカバーが光源ユニットにおいて最外周部位に配置される構成の場合、固体光源（ＬＥＤ）から発せされた熱によりカバーが変形（熱膨張）すると、最外周部位のカバーが反射部材１２の側板１２１に接触してしまう虞がある。そのため、樹脂製のカバーが光源ユニットの最外周部位として配置される場合、光源ユニット（カバー）と反射部材１２の側板１２１との隙間に関して、熱膨張を配慮した設計を行う必要がある。要するに、上記隙間を予め大きく設定する必要がある。このように大きく設定された隙間は、人の目に留まり易く、外観の意匠性（見栄え）が損なわれる可能性もある。
【００５０】
この点において、本実施形態の光源ユニット２は、金属製の側板４１が最外周部位に相当するため、ＬＥＤモジュール３からの熱によって膨張して側板４１が反射部材１２の側板１２１に接触してしまうという可能性が低い。その結果、光源ユニット２と反射部材１２の側板１２１との隙間に関して、熱膨張を配慮した設計を行う必要がなく、当該隙間寸法を極力抑えた構造を有する照明器具１を提供することができる。そして、当該隙間寸法が極力抑えられることで、外観の意匠性の低下を抑制することもできる。
【００５１】
特に、４つの取付部５２は、正方形の枠状の周壁部５１の中心軸Ｃ１（図１参照）に沿って見たときに、中心軸Ｃ１に対して対称となる位置にそれぞれ配置されている。そのため、ＬＥＤモジュール３からの熱によるカバー５の変形（膨張）が抑えられ、取付部材４に対するカバー５のがたつきを抑制することができる。したがって、熱に対して信頼性の高い光源ユニット２を提供することができる。
【００５２】
以下、取付部材４に対するカバー５の取付け手順について説明する。まず、各取付部５２の係合片５２１及び突起５２２は、取付板４０の下から上に向かって、対応する取付孔４２０に挿通される（図１参照）。突起５２２の上端の角部は、面取りされているため、取付孔４２０に対して滑らかに挿通可能となっている。そして、取付孔４２０を通じて第２面４０２から突出した各かしめ片４２１（図４Ａ参照）が内向きにかしめられる。すなわち、かしめ片４２１は、突板４２２に対しておおむね９０度の角度となるように内向きに折り曲げられる（図４Ｂ参照）。このとき、かしめ片４２１は、突起５２２と係合片５２１との間の空間を通って凹所５２３内へ挿入される。
【００５３】
このようにして係合片５２１がかしめ片４２１に係合する。つまり、カバー５は、側板４１の内側に周壁部５１を収めるようにして取付部材４の取付板４０に取り付けられる。したがって、特許文献１記載の従来例に比べて取付金具及びねじなどの別部品の使用を抑えながらもカバー５を取付部材４に取付けることができる。その結果、特許文献１記載の従来例と同等の性能と機能を保ちつつ（品質を保ちつつ）、光源ユニット２全体としての部材点数を減らすことができて製造コストの削減を図ることができる。
【００５４】
なお、図４Ｂに示すように、かしめ片４２１の上端にある載置片４２３が凹所５２３内の上面と接触することで、係合片５２１とかしめ片４２１との係合状態の安定化を図ることができる。
【００５５】
また、係合片５２１がかしめ片４２１に係合した状態において、４つの取付部５２及び４つの被取付部４２は、取付板４０を上下方向に沿って見たときに、正方形の取付板４０の外周縁よりも内側の領域に収まるように構成されている。つまり、人が光源ユニット２を下から見上げたときに、取付部５２及び被取付部４２が見え難い位置にあると言える。したがって、外観の意匠性（見栄え）が向上されている。また、光源ユニット２全体としての小型化にも貢献している。
【００５６】
（３）照明器具の施工
次に、照明器具１を天井に施工する作業について説明する。施工作業を行う作業者は、まず、底壁１１０の挿通孔１１００に電源線を挿通した後、ボルト挿通孔１１０１に挿通した吊りボルト９０にナット９１を締め付けることで器具本体１０を吊りボルトに取り付ける（図８参照）。また、作業者は、挿通孔１１００から引き込んだ電源線を端子台１３に結線することで器具本体１０を天井に配設する。なお、器具本体１０は、収容部１１と反射部材１２を導通部１１３で電気的に導通させているので、収容部１１と反射部材１２の両方に接地工事を行う手間を省くことができる。
【００５７】
続いて、作業者は、後側の側板１２１に設けられた貫通孔１２４を通して、後側の側壁１１１に設けられた引掛部１１４に後側の取付ばね８０の第１腕部８２を挿入する（図７参照）。このとき、作業者は、後側の取付ばね８０の第１腕部８２を、後側の側壁１１１の引掛部１１４が有する仮保持片１１４０に引っ掛けることで光源ユニット２を器具本体１０に仮保持させることができる。作業者は、光源ユニット２を器具本体１０に仮保持させた状態で端子台１３と電源ユニット６の結線作業を行う。
【００５８】
そして、作業者は、前側の側壁１１１に設けられた引掛部１１４に前側の取付ばね８０の第１腕部８２を差し込んだ後、光源ユニット２を持ち上げて収容部１１内に収容する。光源ユニット２が収容部１１内に収容されると、各取付ばね８０の第１腕部８２が側壁１１１の引掛部１１４の縁に引っ掛かる。その結果、光源ユニット２は、２つの取付ばね８０のばね力によって器具本体１０に支持される。以上のような手順で照明器具１の施工作業が完了する。
【００５９】
（４）変形例
以下に、いくつかの変形例について列記する。以下では上述した実施形態を「基本例」と呼ぶ。以下に説明する変形例も、上述した基本例と適宜組み合わせて適用可能である。
【００６０】
基本例では、取付孔４２０の数は４つであり、４つの取付孔４２０にそれぞれ対応するように係合片５２１の数も４つである。しかし、取付孔４２０及び係合片５２１の各々の数は１つ以上あればよく、これらの数は特に限定されるものではない。例えば、取付孔４２０及び係合片５２１の各々の数が１つのみであってもよい。この場合、カバー５は、取付部材４に対して１箇所でのみかしめ固定されて、他の箇所についてはねじ止め等により固定されてもよい。
【００６１】
また取付孔４２０の数と係合片５２１の数とが互いに同じである必要もなく、取付孔４２０の数が係合片５２１の数よりも多くてもよい。要するに係合片５２１を挿通する取付孔４２０が、複数の取付孔４２０の中から適宜に選択可能であってもよい。
【００６２】
基本例では、カバー５の各取付部５２は、周壁部５１を構成する４つの壁部のうちの対応する壁部の上端における長手方向の中央に設けられている。しかし、この限りではなく、各取付部５２は、対応する壁部の上端における長手方向の一端寄り（又は他端寄り）に設けられていてもよい。
【００６３】
ただし、上述した熱によるカバー５の変形の抑制を考慮すれば、２つの取付部５２が前壁部５１１と後壁部５１３とに設けられている場合、中心軸Ｃ１に沿って見たときに、中心軸Ｃ１に対して対称となる位置にそれぞれ配置されていることが好ましい。例えば、２つの取付部５２の一方が、前壁部５１１の上端における長手方向の中央と右端との中間位置に設けられている場合、２つの取付部５２の他方は、後壁部５１３の上端における長手方向の中央と左端との中間位置に設けられていることが好ましい。
【００６４】
同様に、２つの取付部５２が右壁部５１２と左壁部５１４とに設けられている場合、中心軸Ｃ１に沿って見たときに、中心軸Ｃ１に対して対称となる位置にそれぞれ配置されていることが好ましい。例えば、２つの取付部５２の一方が、右壁部５１２の上端における長手方向の中央と前端との中間位置に設けられている場合、２つの取付部５２の他方は、左壁部５１４の上端における長手方向の中央と後端との中間位置に設けられていることが好ましい。
【００６５】
基本例では、各被取付部４２は、載置片４２３と位置決め片４２４とを有しているが、これらは、光源ユニット２において必須の構成要素ではなく、設けられていなくてもよい。
【００６６】
基本例では、各取付部５２は、突片５２０と突起５２２とを有しているが、これらは、光源ユニット２において必須の構成要素ではなく、設けられていなくてもよい。
【００６７】
基本例では、カバー５の底部５０は、その厚み方向に沿って見たときに、取付板４０とほぼ同形の正方形状に形成されていて、カバー５の周壁部５１は、底部５０の厚み方向に沿って見たときに正方形の枠状に形成されている。しかし、これらの形は特に限定されるものではなく、取付板４０及び底部５０は、長方形状に形成され、周壁部５１は、長方形の枠状に形成されていてもよい。
【００６８】
取付板４０及び底部５０の形は、矩形状（正方形状又は長方形状）に限定されるものではなく、例えば円形状であってもよい。また、周壁部５１の形は、矩形枠状（正方形の枠状又は長方形の枠状）に限定されるものではなく、例えば円形の枠状であってもよい。
【００６９】
（５）利点
以上説明したように、第１の態様に係る光源ユニット２は、光源モジュール（ＬＥＤモジュール３）と取付部材４とカバー５とを備える。ＬＥＤモジュール３は、実装基板３１、及び実装基板３１に実装された固体光源（ＬＥＤ３０）を有する。ＬＥＤモジュール３は、取付部材４に取り付けられる。カバー５は、透光性を有し、ＬＥＤモジュール３を覆うように取付部材４に支持される。取付部材４は、ＬＥＤモジュール３が第１面４０１に取り付けられる平板状の取付板４０と、取付板４０の縁から第１面４０１の側に突出する側板４１とを有する。
【００７０】
カバー５は、ＬＥＤモジュール３に対向する底部５０と、底部５０の周縁から取付板４０に向かって突出する周壁部５１とを有する箱状に形成されている。取付板４０は、その厚み方向に貫通する取付孔４２０を有する。周壁部５１は、取付孔４２０を通じて取付板４０の第１面４０１とは反対側の第２面４０２から突出する係合片５２１を有する。カバー５は、第２面４０２から突出した係合片５２１が取付板４０の一部と係合することで取付部材４に支持される。
【００７１】
第１の態様によれば、カバー５は、取付板４０の取付孔４２０を通じて第２面４０２から突出した係合片５２１が取付板４０の一部と係合することで取付部材４に支持される。したがって、取付金具及びねじなどの別部品の使用を抑えながらもカバー５を取付部材４に取付けることができる。その結果、品質を保ちつつ、光源ユニット２全体としての部材点数を減らすことができて製造コストの削減を図ることができる。
【００７２】
第２の態様に係る光源ユニット２に関して、第１の態様において、周壁部５１は、ＬＥＤモジュール３から見たときに側板４１よりも手前に配置されていることが好ましい。第２の態様によれば、取付部材４の側板４１がカバー５の周壁部５１よりも外側に配置されている。そのため、側板４１が、例えば金属製であれば、ＬＥＤモジュール３からの熱によって変形（膨張）して光源ユニット２の周囲に配置されている物体（例えば器具本体１０の反射部材１２の側板１２１）に接触してしまうという可能性が低い。その結果、光源ユニット２と器具本体１０との隙間に関して、熱膨張を配慮した設計を行う必要がなく、当該隙間寸法を極力抑えることができる。そして、当該隙間寸法が極力抑えられることで、外観の意匠性の低下を抑制することもできる。
【００７３】
第３の態様に係る光源ユニット２に関して、第１の態様又は第２の態様において、周壁部５１は、底部５０の厚み方向に沿って見たときに矩形枠状に形成されていて、かつ、係合片５２１を少なくとも２つ有することが好ましい。２つの係合片５２１は、矩形枠状の周壁部５１を形成する４つの壁部（５１１〜５１４）のうち、互いに対向する２つの壁部において、矩形枠状の周壁部５１の中心軸に対して対称となる位置にそれぞれ配置されていることが好ましい。取付板４０は、２つの係合片５２１がそれぞれ対応して通るように、取付孔４２０を少なくとも２つ有していることが好ましい。
【００７４】
第３の態様によれば、ＬＥＤモジュール３からの熱によるカバー５の変形（膨張）がより抑えられ、取付部材４に対するカバー５のがたつきを抑制することができる。したがって、熱に対して信頼性の高い光源ユニット２を提供することができる。
【００７５】
第４の態様に係る光源ユニット２に関して、第１〜第３の態様のいずれか１つにおいて、取付板４０は、金属板により形成されていて、かつ、係合片５２１と係合する上記一部であるかしめ片４２１を有することが好ましい。かしめ片４２１は、係合片５２１にかしめ固定するように取付板４０から切り起こされた部位であることが好ましい。第４の態様によれば、光源ユニット２全体としての部材点数をより減らすことができて、製造コストの更なる削減を図ることができる。また、簡単な構造でありながらも、かしめ固定が可能な光源ユニット２を提供することができる。
【００７６】
第５の態様に係る光源ユニット２に関して、第４の態様において、係合片５２１は、第２面４０２に沿って開放されていてかしめ片４２１が挿入される凹所５２３を有することが好ましい。第５の態様によれば、かしめ片４２１が係合片５２１に対してより安定して係合した状態とすることができる。また、簡単な構造でありながらも、かしめ固定が可能な光源ユニット２を提供することができる。
【００７７】
第６の態様に係る照明器具１は、第１〜第５の態様のいずれか１つの光源ユニット２と、光源ユニット２を支持する器具本体１０とを備える。第６の態様によれば、品質を保ちつつ、部材点数を減らすことができて、製造コストの削減を図ることができる光源ユニット２を備えた照明器具１を提供することができる。
【符号の説明】
【００７８】
１  照明器具
２  光源ユニット
３  ＬＥＤモジュール（光源モジュール）
３０  ＬＥＤ（固体光源）
３１  実装基板
４  取付部材
４０  取付板
４２０  取付孔
４０１  第１面
４０２  第２面
４１  側板
４２１  かしめ片
５  カバー
５０  底部
５１  周壁部
５１１  前壁部（壁部）
５１２  右壁部（壁部）
５１３  後壁部（壁部）
５１４  左壁部（壁部）
５２１  係合片
５２３  凹所
１０  器具本体
Ｃ１  中心軸
【図１】
2018147666.tif 000003
【図２】
2018147666.tif 000004
【図３】
2018147666.tif 000005
【図４】
2018147666.tif 000006
【図５】
2018147666.tif 000007
【図６】
2018147666.tif 000008
【図７】
2018147666.tif 000009
【図８】
2018147666.tif 000010
【図９】
2018147666.tif 000011
【図１０】
2018147666.tif 000012
【図１１】
2018147666.tif 000013